(57)【要約】【課題】回路規模が小さく、アンテナ特性がよい無線通信機を実現する。【解決手段】無線通信機１は、アンテナ１１とアンテナ２１とが接続していないとき、アンテナ１１と送受信部１２との間のインピーダンス整合を取り、アンテナ１１とアンテナ２１とが接続しているとき、アンテナ２１が接続されたアンテナ１１と送受信部１２との間のインピーダンス整合を取るアンテナ整合回路１３を備える。【選択図】図１
2013214865.tif 000002
【特許請求の範囲】
【請求項１】
無線信号を送受信する無線通信機であって、
アンテナと、
前記アンテナと無線信号を処理する無線回路との間のインピーダンス整合を取る整合回路と、
前記アンテナと外部アンテナとを接続する接続手段と、
前記アンテナと前記外部アンテナとが接続しているか否かを検出する接続検出手段と、を備え、
前記整合回路は、前記アンテナと前記外部アンテナとが接続していないとき、前記アンテナと前記無線回路との間のインピーダンス整合を取り、前記アンテナと前記外部アンテナとが接続しているとき、前記外部アンテナが接続された前記アンテナと、前記無線回路との間のインピーダンス整合を取ることを特徴とする無線通信機。
【請求項２】
前記外部アンテナは、前記アンテナの開放端に接続されることを特徴とする請求項１に記載の無線通信機。
【請求項３】
前記外部アンテナは、前記アンテナの開放端より給電点に近い位置に接続されることを特徴とする請求項１に記載の無線通信機。
【請求項４】
前記接続手段は、接点ばねであることを特徴とする請求項１から３の何れか１項に記載の無線通信機。
【請求項５】
前記接続手段は、マイクロＵＳＢ端子であることを特徴とする請求項１から３の何れか１項に記載の無線通信機。
【請求項６】
前記接続手段は、フォーンプラグであることを特徴とする請求項１から３の何れか１項に記載の無線通信機。
【請求項７】
前記外部アンテナは、クレードルに備えられていることを特徴とする請求項１から６の何れか１項に記載の無線通信機。
【請求項８】
前記外部アンテナは、イヤホンに備えられていることを特徴とする請求項５または６に記載の無線通信機。
【請求項９】
前記接続検出手段は、前記アンテナに前記外部アンテナが接続されているか否かによって、前記接続手段の電圧をＨｉｇｈまたはＬｏｗとする検出回路と、
前記接続手段の電圧がＨｉｇｈまたはＬｏｗであることを検出する電圧検出手段と、を備えることを特徴とする請求項１から８の何れか１項に記載の無線通信機。
【請求項１０】
前記接続手段は、前記外部アンテナが備えられた外部機器を充電するための給電路を備え、
前記接続検出手段は、前記外部機器を充電しているか否かを検出する充電検出手段を備え、
前記充電検出手段は前記外部機器を充電していることを検出したとき、前記アンテナに前記外部アンテナが接続されていると判断することを特徴とする請求項１から８の何れか１項に記載の無線通信機。
【請求項１１】
請求項１から１０の何れか１項に記載の無線通信機と、外部機器とを備えることを特徴とする無線通信システム。
【請求項１２】
請求項１から１０の何れか１項に記載の無線通信機を動作させるための制御プログラムであって、コンピュータを上記各手段として機能させるための制御プログラム。
【請求項１３】
請求項１２に記載の制御プログラムを記録したコンピュータ読み取り可能な記録媒体。
【発明の詳細な説明】
【技術分野】
【０００１】
本発明は、無線通信機に関する。また、このような無線通信機を備えた無線通信システムに関する。また、このような無線通信機の無線通信方法、このような無線通信機としてコンピュータを動作させるプログラムおよびこのようなプログラムが記録されている記録媒体に関する。
【背景技術】
【０００２】
携帯電話等の無線通信機能を有する無線通信機は、無線信号を送受信するためのアンテナを備えている。このような無線通信機において、十分なアンテナ特性を得るために、無線通信を行うアンテナと整合回路を複数備え、それらを切り替える方法が提案されている。
【０００３】
例えば、特許文献１には、複数のアンテナと複数のアンテナのそれぞれに対応する整合回路と終端回路とを備え、受信信号強度に応じて上記複数のアンテナのいずれを使用するかを切り替えるアンテナ切替装置が記載されている。
【０００４】
また、特許文献２には、携帯通信端末の開閉状態に応じて、使用する整合回路を切り替える携帯通信端末が記載されている。
【０００５】
また、特許文献３には、外部アンテナを受信装置に取り付けたとき、無線通信を行うアンテナを内蔵アンテナから取り付けた外部アンテナに切り替える受信装置が記載されている。
【０００６】
また、特許文献４には、アンテナの収納時と引き出し時とで使用する整合回路を切り替える携帯無線機が記載されている。
【０００７】
また、特許文献５には、通信圏外時やアンテナ故障時にアンテナを切り替えるアンテナ切替スイッチを備えたアンテナ切替え装置が記載されている。
【０００８】
また、特許文献６には、ノイズの検出感度を増減調整することにより、受信状態の良好なアンテナを検出し、当該アンテナに切り替えるアンテナ切替装置が記載されている。
【先行技術文献】
【特許文献】
【０００９】
【特許文献１】国際公開第２００８／０１０２９９号パンフレット（２００８年１月２４日公開）
【特許文献２】特開２００８−２１１４７９号公報（２００８年９月１１日公開）
【特許文献３】特開２００９−４９７３３号公報（２００９年３月５日公開）
【特許文献４】特開２００１−１２７５１６号公報（２００１年５月１１日公開）
【特許文献５】特開２００３−８７１６６号公報（２００３年３月２０日公開）
【特許文献６】特開２００３−６０５３９号公報（２００３年２月２８日公開）
【発明の概要】
【発明が解決しようとする課題】
【００１０】
内蔵アンテナを備えた無線通信機に外部アンテナを接続し、内蔵アンテナと外部アンテナとを上述したようなスイッチ（例えば、ＲＦスイッチ）を使用して切り替える際、スイッチを通過するロスが増えるため、性能が劣化する場合がある。
【００１１】
また、上述した従来技術では、内蔵アンテナと外部アンテナとのそれぞれに専用の整合回路（マッチング回路）が必要となる。また、このような無線通信機には、外部アンテナを無線通信機に接続したことを検出する接続検出回路が必要となる。そのため、回路規模が大きくなってしまうという問題がある。
【００１２】
本発明は、上記問題に鑑みてなされたものであり、その主たる目的は、回路規模が小さく、外部アンテナを接続した際、アンテナ特性がよい無線通信機を実現することにある。
【課題を解決するための手段】
【００１３】
上記の課題を解決するために、本発明は、無線信号を送受信する無線通信機であって、アンテナと、前記アンテナと無線信号を処理する無線回路との間のインピーダンス整合を取る整合回路と、前記アンテナと外部アンテナとを接続する接続手段と、前記アンテナと前記外部アンテナとが接続しているか否かを検出する接続検出手段と、を備え、前記整合回路は、前記アンテナと前記外部アンテナとが接続していないとき、前記アンテナと前記無線回路との間のインピーダンス整合を取り、前記アンテナと前記外部アンテナとが接続しているとき、前記外部アンテナが接続された前記アンテナと、前記無線回路との間のインピーダンス整合を取ることを特徴としている。
【００１４】
無線通信機に搭載できるアンテナの大きさは制限されるため、無線通信機のアンテナが低い周波数帯域（例えば、ＶＨＦ帯域等）を使用する場合、無線通信機のアンテナのみでは十分なアンテナ特性が得られない可能性がある。しかし、上記構成のように、上記アンテナに外部アンテナを接続して使用することにより、十分なアンテナ特性を得ることができる大きさを確保することができる。よって、より良好なアンテナ特性を得ることができる。
【００１５】
また、外部アンテナは、無線通信機のアンテナに接続されている。整合回路は、外部アンテナが接続していないとき、無線通信機のアンテナと無線回路との間のインピーダンス整合を取り、外部アンテナが接続しているとき、外部アンテナが接続された上記アンテナと無線回路との間のインピーダンス整合を取る。よって、無線通信機のアンテナのみの整合をとる整合回路を外部アンテナが接続されたアンテナでも使用しているため、アンテナごとの整合回路を必要としない。よって、回路規模を小さくすることができる。
【００１６】
また、本発明における無線通信機の前記外部アンテナは、前記アンテナの開放端に接続されることが好ましい。
【００１７】
上記構成によれば、上記アンテナのアンテナエレメント長に、上記外部アンテナのアンテナエレメント長が追加される。これにより、無線通信機のアンテナが使用する電波の波長が無線通信機のサイズに対して大きくなる。したがって、無線通信機のアンテナのサイズが４分の１波長に満たないとき、このように外部アンテナを接続することによって、より有効にアンテナの特性を向上させることができる。
【００１８】
また、本発明における無線通信機の前記外部アンテナは、前記アンテナの開放端より給電点に近い位置に接続されてもよい。
【００１９】
上記外部アンテナが無線通信機のアンテナより、十分長いアンテナエレメント長を有するように設計されているとき、外部アンテナのアンテナ特性が無線通信機のアンテナに対し、支配的になる。したがって、無線通信機のアンテナが使用する電波の波長が無線通信機のサイズに対して大きく、無線通信機アンテナのアンテナエレメント長が４分の１波長に満たないとき、より有効にアンテナの特性を向上させることができる。
【００２０】
また、本発明における無線通信機の前記接続手段は、接点ばねであってもよいし、マイクロＵＳＢ端子であってもよい。また、前記接続手段は、フォーンプラグであってもよい。
【００２１】
このように接続手段は、無線通信機のアンテナと、外部アンテナとを直接接続可能な部材を用いることができる。
【００２２】
また、本発明における無線通信機の前記外部アンテナは、クレードルに備えられていてもよいし、イヤホンに備えられていてもよい。このように、外部アンテナは無線通信機と接続可能な機器に備えられる。
【００２３】
また、本発明における無線通信機の前記接続検出手段は、前記アンテナに前記外部アンテナが接続されているか否かによって、前記接続手段の電圧をＨｉｇｈまたはＬｏｗとする検出回路と、前記接続手段の電圧がＨｉｇｈまたはＬｏｗであることを検出する電圧検出手段と、を備えることが好ましい。
【００２４】
上記構成によれば、検出回路は、無線通信機のアンテナに外部アンテナが接続されているか否かによって、接続手段の電圧をＨｉｇｈまたはＬｏｗとする。電圧検出手段は、接続手段の電圧がＨｉｇｈまたはＬｏｗであることを検出する。電圧検出手段は、例えば、接続手段の電圧がＨｉｇｈであるとき、外部アンテナが接続されていないと判断し、接続手段の電圧がＬｏｗであるとき、外部アンテナが接続されていると判断する。
【００２５】
これにより、接続手段は、外部アンテナの接続部としての役割と、外部アンテナが接続されことを検出するための検出端子としての役割を有する。よって、外部アンテナが接続されたことを検出するための検出端子を別に設ける必要がないため、回路規模を小さくすることができる。また、上述のように、簡単な構成で外部アンテナが接続されたことを検出することができる。
【００２６】
また、本発明に係る無線通信機の前記接続手段は、前記外部アンテナが備えられた外部機器を充電するための給電路を備え、前記接続検出手段は、前記外部機器を充電しているか否かを検出する充電検出手段を備え、前記充電検出手段は前記外部機器を充電していることを検出したとき、前記アンテナに前記外部アンテナが接続されていると判断してもよい。
【００２７】
上記構成によれば、上記接続検出手段は、上記給電路を介して、上記外部機器を充電しているか否かを検出する。上記接続検出手段は、上記外部機器を充電していることを検出したとき、上記外部アンテナが上記無線通信機に接続されていると判断する。
【００２８】
このように上記無線通信機は、充電の有無により、上記外部機器の外部アンテナの接続の有無を検出するため、外部アンテナの接続を検出するためのみの専用回路が不要となる。そのため、回路規模を小さくすることができる。
【００２９】
また、上記無線通信機と、外部機器とを備える無線通信システムも本発明の範疇に含まれる。
【００３０】
また、上記無線通信機を動作させるための制御プログラムであって、コンピュータを上記各手段として機能させるための制御プログラムおよび当該制御プログラムを記録したコンピュータ読み取り可能な記録媒体も本発明の技術的範囲に含まれる。
【発明の効果】
【００３１】
本発明は、無線信号を送受信する無線通信機であって、アンテナと、前記アンテナと無線信号を処理する無線回路との間のインピーダンス整合を取る整合回路と、前記アンテナと外部アンテナとを接続する接続手段と、前記アンテナと前記外部アンテナとが接続しているか否かを検出する接続検出手段と、を備え、前記整合回路は、前記アンテナと前記外部アンテナとが接続していないとき、前記アンテナと前記無線回路との間のインピーダンス整合を取り、前記アンテナと前記外部アンテナとが接続しているとき、前記外部アンテナが接続された前記アンテナと、前記無線回路との間のインピーダンス整合を取ることを特徴としている。
【００３２】
このように上記アンテナに外部アンテナを接続して使用することにより、十分なアンテナ特性を得ることができる大きさを確保することができる。よって、より良好なアンテナ特性を得ることができる。
【図面の簡単な説明】
【００３３】
【図１】本発明の一実施形態における無線通信機の一構成例を示すブロック図である。
【図２】アンテナ整合回路の構成の一例を示す回路図である。
【図３】アンテナ整合回路の構成の他の例を示す回路図である。
【図４】無線通信機のアンテナの開放端より、給電点に近い位置に外部アンテナを接続した場合の構成例を示す図である。
【図５】結合部が接点ばねであるときの、無線通信システムの構成の一例を示す図である。
【図６】結合部がマイクロＵＳＢ端子であるときの、無線通信システムの構成の一例を示す図である。
【図７】結合部がマイクロＵＳＢ端子であるときの、無線通信システムの構成の他の例を示す図である。
【図８】結合部がイヤホンジャックであるときの無線通信システムの構成の一例を示す図である。
【図９】結合部が外部機器側に備えられた容量結合用パッドであるときの無線通信システムの構成の一例を示す図である。
【図１０】結合部が外部機器側に備えられた容量結合用パッドであるときの無線通信システムの構成の他の例を示す図である。
【図１１】外部機器のアンテナが接続されていないときの無線通信機におけるアンテナ結合検出部の一構成例を示すブロック図である。
【図１２】外部機器のアンテナが接続されているときの無線通信機におけるアンテナ結合検出部の一構成例を示すブロック図である。
【図１３】外部機器のアンテナが接続されていないときの無線通信機におけるアンテナ結合検出部の他の構成例を示すブロック図である。
【図１４】外部機器のアンテナが接続されているときの無線通信機におけるアンテナ結合検出部の他の構成例を示すブロック図である。
【発明を実施するための形態】
【００３４】
以下、本発明の一実施形態について、図面を参照して説明すれば、以下のとおりである。
【００３５】
（無線通信機１の概略）
図１は、本実施形態における無線通信機１の一構成例を示すブロック図である。図１に示すように、無線通信機１は、アンテナ１１、送受信部（無線回路）１２、アンテナ整合回路１３、アンテナ結合検出部（接続検出手段）１４および結合部（接続手段）１５を備えている。
【００３６】
アンテナ１１は、結合部１５を介して、例えばクレードル等の外部機器に備えられたアンテナ２１と結合することができるアンテナである。アンテナ１１は、例えば、棒状アンテナ、ヘリカルアンテナのようなコイル状（らせん状）アンテナ、イヤホンアンテナのようなワイヤ状アンテナ等である。また、アンテナ１１はこれに限定されず、フィルム、板金または樹脂メッキ上に形成された内蔵アンテナであってもよい。
【００３７】
また、外部機器に備えられたアンテナ（外部アンテナ）２１は、例えば、棒状アンテナ、ヘリカルアンテナのようなコイル状（らせん状）アンテナ、イヤホンアンテナのようなワイヤ状アンテナ、ループ状アンテナ等である。また、アンテナ１１はこれに限定されず、フィルム、板金または樹脂メッキ上に形成された内蔵アンテナであってもよい。
【００３８】
送受信部１２は、アンテナ１１またはアンテナ２１が結合されたアンテナ１１をアンテナとして利用した無線通信を制御し、無線信号を処理する。アンテナ整合回路１３は、アンテナ１１と送受信部１２との間に接続され、アンテナ１１と送受信部１２との間のインピーダンス整合を取る。アンテナ整合回路１３については後述する。
【００３９】
アンテナ結合検出部１４は、アンテナ１１がアンテナ２１と結合（接続）しているか否かを検出する。アンテナ結合検出部１４は、検出結果より、アンテナ２１が結合していないアンテナ１１と送受信部１２との間のインピーダンス整合を取るのか、アンテナ２１が結合されたアンテナ１１と送受信部１２との間のインピーダンス整合を取るのかを切り替える切替信号をアンテナ整合回路１３に送信する。
【００４０】
（アンテナ整合回路１３について）
次に、図２および図３を参照してアンテナ整合回路１３について説明する。図２は、アンテナ整合回路１３の構成の一例を示す回路図である。図２に示すように、アンテナ整合回路１３は、コンデンサ１３１、１３３、１３４、１３６と、コイル１３２、１３５と、スイッチ１３９とを含んでいる。スイッチ１３９は、例えば、ＰＩＮダイオード等であり、アンテナ結合検出部１４から送信された切替信号に従って、オンオフを切り替える。
【００４１】
図２において、アンテナ整合回路１３は、アンテナ２１が結合していないアンテナ１１と、送受信部１２との間のインピーダンス整合をとる場合、スイッチ１３９をオフにてインピーダンス整合をとり、アンテナ２１が結合しているアンテナ１１と送受信部１２との間のインピーダンス整合をとる場合、スイッチ１３９をオンにしてインピーダンス整合を取るとする。このとき、アンテナ結合検出部１４がアンテナ整合回路１３に送信した切替信号が、アンテナ２１が結合していないアンテナ１１と、送受信部１２との間のインピーダンス整合を取るように切り替える信号であった場合、アンテナ整合回路１３は、スイッチ１３９をオフにする。また、アンテナ結合検出部１４がアンテナ整合回路１３に送信した切替信号が、アンテナ２１が結合されたアンテナ１１と、送受信部１２との間のインピーダンス整合を取るように切り替える信号であった場合、アンテナ整合回路１３は、スイッチ１３９をオンにする。
【００４２】
また、アンテナ整合回路１３の構成は、図２の構成に限定されず、例えば、図３のような構成であってもよい。図３は、アンテナ整合回路１３の構成の他の例を示す回路図である。図３に示すように、アンテナ整合回路１３’は、コンデンサ２３１、２３３〜２３５と、コイル２３２と、スイッチ２３６とを含んでいる。スイッチ２３６は、上述したスイッチ１３９と同様のスイッチであるため、説明を省略する。このように、アンテナ整合回路１３は、アンテナ２１の接続の有無によって、インピーダンス整合を取る対象を切り替えることができる。
【００４３】
（アンテナ１１とアンテナ２１との接続位置について）
次に、図１および図４を参照にして、アンテナ１１とアンテナ２１との接続位置について説明を行う。図１に示すように、アンテナ２１は、アンテナ１１の開放端１１１と接続してもよい。
【００４４】
このように、アンテナ１１の開放端にアンテナ２１を接続することにより、アンテナ１１のアンテナエレメント長に、アンテナ２１のアンテナエレメント長が追加される。これにより、アンテナ１１が使用する電波の波長が無線通信機１のサイズに対して大きくなる。したがって、アンテナ１１のサイズが４分の１波長に満たないとき、アンテナ２１をこのように接続することによって、より有効にアンテナの特性を向上させることができる。
【００４５】
図４は、アンテナ１１の開放端より、給電点に近い位置にアンテナ２１を接続した場合の構成例を示す図である。図４に示すように、アンテナ２１は、アンテナ１１の開放端より、給電点１１２に近い位置に接続されている。このとき、アンテナ２１は、アンテナ１１より、十分長いアンテナエレメント長を有するように設計されていることが好ましい。これにより、アンテナ２１のアンテナ特性がアンテナ１１に対し、支配的になる。したがって、アンテナ１１が使用する電波の波長が無線通信機１のサイズに対して大きく、アンテナ１１のアンテナエレメント長が４分の１波長に満たないとき、より有効にアンテナの特性を向上させることができる。
【００４６】
（結合部１５の構成例１）
次に、図５を参照して、アンテナ１１とアンテナ２１とを接続する結合部１５の構成例について説明を行う。図５は、結合部１５が接点ばねであるときの、無線通信システム３の構成の一例を示す図である。図５に示すように、無線通信システム３は、無線通信機１と、クレードル（外部機器）２とを含んでいる。無線通信機１は、例えば、携帯電話端末であり、クレードル２上に載置することができる。無線通信機１のアンテナ１１は、接点ばね１５１を介して、クレードル２のアンテナ２１と接続している。このように、接点ばね１５１を使用してアンテナ１１とアンテナ２１とを接続することができる。
【００４７】
（結合部１５の構成例２）
次に、図６および図７を参照して、アンテナ１１とアンテナ２１とを接続する結合部１５の第２の構成例について説明を行う。図６は、結合部１５がマイクロＵＳＢ（Ｕｎｉｖｅｒｓａｌ  Ｓｅｒｉａｌ  Ｂｕｓ）端子であるときの、無線通信システム３の構成の一例を示す図である。
【００４８】
図６に示す無線通信システム３は、無線通信機１とクレードル２とを含んでいる。無線通信機１は、内部にアンテナを有しておらず、例えばイヤホンアンテナ等のアンテナ１１が接続されている。また、クレードル２は、アンテナ２１を有している。無線通信機１とクレードル２とを接続する結合部は、マイクロＵＳＢ端子１５２であり、クレードル２側に設けられている。アンテナ１１は、マイクロＵＳＢ端子１５２を介して、クレードル２のアンテナ２１と接続している。
【００４９】
また、図７は、結合部１５がマイクロＵＳＢ端子であるときの、無線通信システム３の構成の他の例を示す図である。図７に示す無線通信システム３は、無線通信機１とクレードル２をと含んでいる。クレードル２は、イヤホンアンテナ２１１と内蔵アンテナ２１２とを含むアンテナ２１を備えている。無線通信機１の結合部１５は、マイクロＵＳＢ端子１５３である。アンテナ１１は、マイクロＵＳＢ端子１５３を介して、クレードル２のイヤホンアンテナ２１１と接続している。
【００５０】
このようにアンテナ２１と無線通信機１のアンテナ１１とは、マイクロＵＳＢ端子を介
して接続することが可能である。
【００５１】
なお、図６および図７において、結合部１５は、マイクロＵＳＢ端子であることを例に説明を行ったが、本発明はこれに限定されず、例えば、フォーンプラグ（イヤホンジャック）であってもよい。
【００５２】
（結合部１５の構成例３）
次に、図８を参照して、アンテナ１１とアンテナ２１とを接続する結合部１５の第３の構成例について説明を行う。図８は、結合部１５がイヤホンジャックであるときの無線通信システム５の構成の一例を示す図である。図８に示すように、無線通信システム５は、無線通信機１と、イヤホン（外部機器）４とを含んでいる。また、イヤホン４にはアンテナ２１が備えられている。結合部１５はイヤホンジャック１５４であり、アンテナ１１はイヤホンジャック１５４を介してアンテナ２１と接続している。
【００５３】
このようにアンテナ２１と無線通信機１のアンテナ１１とは、イヤホンジャックを介して接続することが可能である。なお、図８において、結合部１５はイヤホンジャックであることを例に説明を行ったが、本発明はこれに限定されず、例えば、マイクロＵＳＢ端子であってもよい。
【００５４】
結合部１５の構成例１〜３に示したように、結合部１５は、無線通信機１のアンテナ１１と、外部機器のアンテナ２１とを直接接続可能な部材を用いることができる。
【００５５】
（結合部１５の構成例４）
次に、図９および図１０を参照して、アンテナ１１とアンテナ２１とを接続する結合部１５の第４の構成例について説明を行う。図９は、結合部１５が外部機器側に備えられた容量結合用パッドであるときの無線通信システム３の構成の一例を示す図である。
【００５６】
図９に示すように、無線通信機１は、クレードル２上に載置されている。また、クレードル２は、アンテナ２１と、アンテナ２１に接続された容量結合用パッド１５５と、を有している。容量結合用パッド１５５は、クレードル２上に載置された無線通信機１のアンテナ１１の一部または全部が、クレードル２の上部から見たとき、当該容量結合用パッド１５５と重なるような位置に配置されている。このような位置に容量結合用パッド１５５を配置することにより、アンテナ１１と容量結合用パッド１５５とが容量結合する。これにより、アンテナ１１とアンテナ２１とが接続される。
【００５７】
また、図１０は、結合部１５が外部機器側に備えられた容量結合用パッドであるときの、無線通信システム３の構成の他の例を示す図である。図１０に示すように、無線通信機１は、クレードル上に載置されている。クレードル２上には、無線通信機１のアンテナ１１を収納するための凹部２４が設けられている。また、凹部２４には、容量結合用パッド１５６が設けられている。アンテナ２１は、容量結合用パッド１５６に接続している。無線通信機１のアンテナ１１が凹部２４に収納されたとき、アンテナ１１と凹部２４に形成された容量結合用パッド１５６とが容量結合する。これにより、アンテナ１１とアンテナ２１とが接続される。
【００５８】
このように容量結合用パッド１５５および１５６は、無線通信機１のアンテナ１１と容量結合するように、アンテナ２１が備えられているクレードル２に配置され、アンテナ２１に接続している。よって、アンテナ２１と無線通信機１のアンテナ１１とは、接続することが可能である。
【００５９】
（アンテナ結合検出部１４の構成例１）
次に、図１１および図１２を参照してアンテナ結合検出部１４の構成例１について説明する。図１１は、アンテナ２１が接続されていないとき（外部アンテナ未接続時）の無線通信機１におけるアンテナ結合検出部１４の一構成例を示すブロック図である。また、図１２は、アンテナ２１が接続されているとき（外部アンテナ接続時）の無線通信機１におけるアンテナ結合検出部１４の一構成例を示すブロック図である。
【００６０】
図１１および図１２に示すように、無線通信機１のアンテナ結合検出部１４は、アンテナ接続検出部（電圧検出手段）１４１、カップリングコンデンサ（検出回路）１４２および抵抗１４３（検出回路）を備えている。
【００６１】
カップリングコンデンサ１４２は、アンテナ整合回路１３とアンテナ１１との間に設けられ、カップリングを行う。カップリングされた信号は、抵抗１４３によって、プルアップされる。アンテナ接続検出部１４１は、このときの結合部１５の電圧を検出する。
【００６２】
図１２に示すように、外部機器のアンテナ２１側のホットとグランド間には、チョーク用インダクタンス２２が接続されている。これにより、図１２に示すように、アンテナ２１が接続されているとき、結合部１５の電圧がＬｏｗとなり、図１１に示すように、アンテナ２１が接続されていないとき、結合部１５の電圧がＨｉｇｈとなる。
【００６３】
つまり、カップリングコンデンサ１４２および抵抗１４３は、アンテナ１１にアンテナ２１が接続されているか否かによって、結合部１５の電圧をＨｉｇｈまたはＬｏｗとする。アンテナ接続検出部１４１は、結合部１５の電圧がＨｉｇｈまたはＬｏｗであることを検出する。アンテナ接続検出部１４１は、結合部１５の電圧がＨｉｇｈであるとき、アンテナ２１が接続されていないと判断し、判断結果（切替信号）をアンテナ整合回路１３に送信する。また、アンテナ接続検出部１４１は、結合部１５の電圧がＬｏｗであるとき、アンテナ２１が接続されていると判断し、判断結果をアンテナ整合回路１３に送信する。アンテナ整合回路１３は、アンテナ接続検出部１４１から送信された切替信号に基づき、整合を取る対象を切り替える。
【００６４】
このように、結合部１５は、アンテナ２１の接続部としての役割と、アンテナ２１が接続されていることを検出するための検出端子としての役割とを有する。よって、アンテナ２１が接続されたことを検出するための検出端子を別に設ける必要がないため、回路規模を小さくすることができる。また、上述のように、簡単な構成でアンテナ２１が接続されたことを検出することができる。
【００６５】
（アンテナ結合検出部１４の構成例２）
次に、図１３および図１４を参照してアンテナ結合検出部１４の構成例２について説明する。図１３は、アンテナ２１が接続されていないとき（外部アンテナ未接続時）の無線通信機１におけるアンテナ結合検出部１４の他の構成例を示すブロック図である。また、図１４は、アンテナ２１が接続されているとき（外部アンテナ接続時）の無線通信機１におけるアンテナ結合検出部１４の他の構成例を示すブロック図である。
【００６６】
図１３および図１４に示すように、無線通信機１のアンテナ結合検出部１４は、充電検出部（充電検出手段）１４４を備えている。また、図１４に示すように、結合部１５には、外部機器の充電部２３を充電するための、給電路１５７が備えられている。アンテナ１１が結合部１５を介してアンテナ２１と接続するとき、充電検出部１４４と充電部２３とが接続し、充電が開始される。
【００６７】
また、充電検出部１４４は、外部機器の充電部２３を充電しているか否かを検出する。充電検出部１４４は、外部機器を充電していることを検出したとき、アンテナ２１が無線
通信機１に接続されていると判断し、外部機器を充電していないことを検出したとき、アンテナ２１が無線通信機１に接続されていないと判断する。その後、充電検出部１４４は、判断結果（切替信号）をアンテナ整合回路１３に送信する。アンテナ整合回路１３は、アンテナ接続検出部１４１から送信された切替信号に基づき、整合を切り替える。このように無線通信機１は、充電の有無により、外部機器のアンテナ２１の接続の有無を検出するため、アンテナ２１の接続を検出するためのみの専用回路が不要となる。そのため、回路規模を小さくすることができる。
【００６８】
以上のように、無線信号を送受信する無線通信機１は、アンテナ１１と、アンテナ１１と無線信号を処理する送受信部１２との間のインピーダンス整合を取るアンテナ整合回路１３と、アンテナ１１と外部機器のアンテナ２１とを接続する結合部１５と、アンテナ１１とアンテナ２１とが接続しているか否かを検出するアンテナ結合検出部１４とを備えている。アンテナ整合回路１３は、アンテナ１１とアンテナ２１とが接続していないとき、アンテナ１１と送受信部１２との間のインピーダンス整合を取り、アンテナ１１とアンテナ２１とが接続しているとき、アンテナ２１が接続されたアンテナ１１と、送受信部１２との間のインピーダンス整合を取る。
【００６９】
無線通信機１に搭載できるアンテナの大きさは制限されるため、アンテナ１１が低い周波数帯域（例えば、ＶＨＦ帯域等）を使用する場合、アンテナ１１のみでは十分なアンテナ特性が得られない可能性がある。しかし、上記構成のように、アンテナ１１にアンテナ２１を接続して使用することにより、十分なアンテナ特性を得ることができる大きさを確保することができる。よって、より良好なアンテナ特性を得ることができる。
【００７０】
また、アンテナ２１は、アンテナ１１に接続されている。アンテナ整合回路１３は、アンテナ２１が接続していないとき、アンテナ１１と送受信部１２との間のインピーダンス整合をとり、アンテナ２１が接続しているとき、アンテナ２１が接続されたアンテナ１１と送受信部１２との間のインピーダンス整合とを取る。よって、アンテナごとのインピーダンス整合をとる経路を設ける場合に比べ、信号の損失が少なくなるため、アンテナ特性を向上させることができる。
【００７１】
また、アンテナ１１のみの整合をとるアンテナ整合回路１３をアンテナ２１が接続されたアンテナ１１でも使用しているため、アンテナごとの整合回路を必要としない。よって、回路規模を小さくすることができる。
【００７２】
なお、上記において、アンテナ２１を備えた外部機器は、クレードル２またはイヤホン４であることを例に説明を行ったが、外部機器はこれに限定されるものではなく、外部アンテナを備え、無線通信機と接続可能な機器であればよい。
【００７３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００７４】
〔ソフトウェアによる実現例について〕
最後に、無線通信機１の各ブロックは、集積回路（ＩＣチップ）上に形成された論理回路によってハードウェア的に実現してもよいし、ＣＰＵ（Central Processing Unit）を用いてソフトウェア的に実現してもよい。
【００７５】
後者の場合、無線通信機１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記
憶装置（記録媒体）などを備えている。そして、本発明の目的は、上述した機能を実現するソフトウェアである無線通信機１の制御プログラムのプログラムコード（実行形式プログラム、中間コードプログラム、ソースプログラム）をコンピュータで読み取り可能に記録した記録媒体を、無線通信機１に供給し、そのコンピュータ（またはＣＰＵやＭＰＵ）が記録媒体に記録されているプログラムコードを読み出し実行することによっても、達成可能である。
【００７６】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【００７７】
また、無線通信機１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near
Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００７８】
本発明は、携帯電話端末等の無線通信を行う無線通信装置に利用することができる。
【符号の説明】
【００７９】
１  無線通信機
１１  アンテナ
１１１  開放端
１１２  給電点
１２  送受信部（無線回路）
１３、１３’  アンテナ整合回路（整合回路）
１３９  スイッチ
２３６  スイッチ
１４  アンテナ結合検出部（接続検出手段）
１４１  アンテナ接続検出部（電圧検出手段）
１４２  カップリングコンデンサ（検出回路）
１４３  抵抗（検出回路）
１４４  充電検出部（充電検出手段）
１５  結合部（接続手段）
１５１  接点ばね
１５２  マイクロＵＳＢ端子
１５３  マイクロＵＳＢ端子
１５４  イヤホンジャック
１５５  容量結合用パッド
１５６  容量結合用パッド
１５７  給電路
２  クレードル（外部機器）
２１  アンテナ（外部アンテナ）
２２  チョーク用インダクタンス
２３  充電部
２４  凹部
３  無線通信システム
４  イヤホン（外部機器）
５  無線通信システム
【図１】
2013214865.tif 000003
【図２】
2013214865.tif 000004
【図３】
2013214865.tif 000005
【図４】
2013214865.tif 000006
【図５】
2013214865.tif 000007
【図６】
2013214865.tif 000008
【図７】
2013214865.tif 000009
【図８】
2013214865.tif 000010
【図９】
2013214865.tif 000011
【図１０】
2013214865.tif 000012
【図１１】
2013214865.tif 000013
【図１２】
2013214865.tif 000014
【図１３】
2013214865.tif 000015
【図１４】
2013214865.tif 000016